(57)【要約】【課題】例えば、より不都合の少ない新規な構成の電気装置を得る。【解決手段】実施形態の電気装置は、例えば、筐体と、第二の位置決め部と、を備える。筐体は、床面と重なる壁部を有する。第二の位置決め部は、床面に設けられた第一の位置決め部と位置決めされる、筐体に設けられた第二の位置決め部であって、筐体の床面に沿う第一の方向への移動によって第一の位置決め部と位置決めされる。第一の位置決め部と第二の位置決め部とが位置決めされた状態で、第二の位置決め部は、第一の位置決め部に対する第一の方向の前方側への移動が制限されるとともに、第一の方向と交叉し床面に沿う第二の方向への移動が制限される。【選択図】図６
2016134449.tif 000002
【特許請求の範囲】
【請求項１】
床面と重なる壁部を有した筐体と、
前記床面に設けられた第一の位置決め部と位置決めされる、前記筐体に設けられた第二の位置決め部であって、前記筐体の前記床面に沿う第一の方向への移動によって前記第一の位置決め部と位置決めされる第二の位置決め部と、
を備え、
前記第一の位置決め部と前記第二の位置決め部とが位置決めされた状態で、前記第二の位置決め部は、前記第一の位置決め部に対する前記第一の方向の前方側への移動が制限されるとともに、前記第一の方向と交叉し前記床面に沿う第二の方向への移動が制限される、電気装置。
【請求項２】
前記第一の位置決め部および前記第二の位置決め部のうち一方には前記第一の方向に沿って突出部が設けられ、他方には前記突出部が入る第一の開口部が設けられた、請求項１に記載の電気装置。
【請求項３】
前記突出部には、前記第一の方向の前方側に向かうほど前記第二の方向に沿った幅が狭くなるテーパ部が設けられた、請求項２に記載の電気装置。
【請求項４】
前記突出部には、仮止め用の結合具が入る第二の開口部が設けられた、請求項２または３に記載の電気装置。
【請求項５】
前記筐体の前記第一の方向の前方側の端部には、前記床面から離れる方向に凹んだ凹部が設けられ、
前記凹部に、前記第一の位置決め部および前記第二の位置決め部のうち少なくとも一方が位置された、請求項１〜４のうちいずれか一つに記載の電気装置。
【請求項６】
前記筐体に収容され、電子部品が設けられたユニットと、
前記筐体に設けられた第三の位置決め部と位置決めされる、前記ユニットに設けられた第四の位置決め部であって、前記ユニットの前記第一の方向への移動によって前記第三の位置決め部と位置決めされる第四の位置決め部と、
を備え、
前記第三の位置決め部と前記第四の位置決め部とが位置決めされた状態で、前記第四の位置決め部は、前記第三の位置決め部に対する前記第一の方向の前方側への移動が制限されるとともに、前記第二の方向への移動が制限される、請求項１〜５のうちいずれか一つに記載の電気装置。
【発明の詳細な説明】
【技術分野】
【０００１】
本発明の実施形態は、電気装置に関する。
【背景技術】
【０００２】
従来、筐体に設けられた取付穴と床面に設けられた取付穴とを直接的に位置合わせした電気装置が知られている。
【先行技術文献】
【特許文献】
【０００３】
【特許文献１】特開２００４−１０３４８９号公報
【発明の概要】
【発明が解決しようとする課題】
【０００４】
この種の電気装置では、例えば、より不都合の少ない新規な構成が得られれば、好ましい。
【課題を解決するための手段】
【０００５】
実施形態の電気装置は、例えば、筐体と、第二の位置決め部と、を備える。筐体は、床面と重なる壁部を有する。第二の位置決め部は、床面に設けられた第一の位置決め部と位置決めされる、筐体に設けられた第二の位置決め部であって、筐体の床面に沿う第一の方向への移動によって第一の位置決め部と位置決めされる。第一の位置決め部と第二の位置決め部とが位置決めされた状態で、第二の位置決め部は、第一の位置決め部に対する第一の方向の前方側への移動が制限されるとともに、第一の方向と交叉し床面に沿う第二の方向への移動が制限される。
【図面の簡単な説明】
【０００６】
【図１】図１は、実施形態の電気装置の例示的な正面図である。
【図２】図２は、実施形態の電気装置の例示的な背面図である。
【図３】図３は、実施形態の電気装置の第一の位置決め部の例示的な斜視図である。
【図４】図４は、実施形態の電気装置の第二の位置決め部の例示的な斜視図である。
【図５】図５は、実施形態の電気装置の図６の状態となる前の状態での例示的な側面図である。
【図６】図６は、実施形態の電気装置の第一の位置決め部と第二の位置決め部とが位置決めされた状態の例示的な側面図である。
【図７】図７は、実施形態の電気装置の第一の位置決め部と第二の位置決め部とが位置決めされた状態の例示的な斜視図である。
【図８】図８は、実施形態の電気装置の図９の状態となる前の状態を正面側から見た例示的な斜視図である。
【図９】図９は、実施形態の電気装置の筐体が床面に結合された状態を正面側から見た例示的な斜視図である。
【図１０】図１０は、実施形態の電気装置の筐体の一部を背面側から見た例示的な分解斜視図である。
【図１１】図１１は、実施形態の電気装置の図１２の状態となる前の状態での例示的な断面図である。
【図１２】図１２は、実施形態の電気装置の第三の位置決め部と第四の位置決め部とが位置決めされた状態の例示的な断面図である。
【図１３】図１３は、実施形態の電気装置の電池ユニットのトレイ部材の例示的な平面図である。
【発明を実施するための形態】
【０００７】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【０００８】
また、以下の実施形態では、電気装置が蓄電池装置として構成された場合が例示されるが、本実施形態の電気装置は、これには限定されない。本実施形態の電気装置は、例えば、自動販売機や、冷蔵庫等、床面に設置される種々の電気装置として構成されうる。
【０００９】
図１，２に示されるように、蓄電池装置１（組電池装置、電池ラック、電気装置）は、例えば、筐体２（第一の筐体）と、筐体２に収容される複数（例えば、二十二個）の電池ユニット３（ユニット）と、電池ユニット３とともに筐体２に収容される制御ユニット４（ユニット）と、を備える。本実施形態では、例えば、複数の蓄電池装置１がコンテナ内に搭載され、これら複数の蓄電池装置１が直列あるいは並列に接続されることにより蓄電池システムが構成される。このコンテナ型の蓄電池システムは、例えば、屋外の設備等や、非常用の電源として使用されうる。
【００１０】
筐体２は、直方体状に構成されている。筐体２は、複数の壁部２ａ〜２ｆを有する。図１，２，８に示されるように、本実施形態では、複数の壁部２ａ〜２ｆのうち少なくともいずれか一つの壁部（例えば、壁部２ａ）が、コンテナの床面Ｐ（平面、図５〜９参照）に沿った（面した）姿勢で使用される。なお、以下の詳細な説明では、便宜上、壁部２ａが床面Ｐに沿った姿勢を基準として方向を規定する。Ｘ方向は、筐体２の奥行方向（厚さ方向）、Ｙ方向は、筐体２の幅方向（短手方向）、Ｚ方向は、筐体２の高さ方向（長手方向）である。Ｘ方向、Ｙ方向、およびＺ方向は、互いに直交している。本実施形態では、Ｘ方向は、床面Ｐに沿う第一の方向の一例であり、Ｙ方向は、第一の方向と交叉し床面Ｐに沿う第二の方向の一例である。
【００１１】
図１に示されるように、壁部２ａおよび壁部２ｂは、筐体２の高さ方向（Ｚ方向）に間隔をあけて互いに平行に設けられている。壁部２ａおよび壁部２ｂは、いずれも、筐体２の高さ方向（Ｚ方向）と交叉する方向（例えば直交方向、ＸＹ平面）に沿って延びている（拡がっている）。壁部２ａは、下壁や、底壁等と称され、コンテナの床面Ｐ（図５〜９参照）と面する（対向する、重なる）。壁部２ｂは、上壁や、天壁等と称され、コンテナの天井（図示されず）と面する（対向する）。また、壁部２ｃおよび壁部２ｄは、筐体２の幅方向（Ｙ方向）に間隔をあけて互いに平行に設けられている。壁部２ｃおよび壁部２ｄは、いずれも、筐体２の幅方向（Ｙ方向）と交叉する方向（例えば直交方向、ＸＺ平面）に沿って延びている（拡がっている）。壁部２ｃ，２ｄは、側壁等と称され、筐体２の幅方向（Ｙ方向）に沿って同じ姿勢で並べられる他の蓄電池装置の側壁と面する（対向する）。図２，８に示されるように、壁部２ｅおよび壁部２ｆは、筐体２の前後方向（Ｘ方向）に間隔をあけて互いに平行に設けられている。壁部２ｅおよび壁部２ｆは、いずれも、筐体２の前後方向（Ｘ方向）と交叉する方向（例えば直交方向、ＹＺ平面）に沿って延びている（拡がっている）。壁部２ｅは、前壁等と称され、筐体２の収容部２ｒ（開口部、図８参照）を塞ぐ。壁部２ｆは、後壁等と称され、コンテナの側壁Ｓ（縦壁、立壁、起立壁、奥壁、図５，６参照）と面する（対向する）。図２，１０に示されるように、本実施形態では、壁部２ｆには、筐体２の高さ方向（Ｚ方向）に互いに間隔をあけて複数の開口部２ｓが設けられている。電池ユニット３や、制御ユニット４等は、この開口部２ｓを介して筐体２の後方（Ｘ方向）に露出している。なお、図１では、便宜上、壁部２ｅは省略されている。
【００１２】
また、図１，８，１０に示されるように、筐体２は、例えば、複数の壁部２ｇを有する。壁部２ｇは、筐体２の壁部２ａ，２ｂと略平行に設けられている。壁部２ｇは、いずれも、壁部２ａと壁部２ｂとの間に位置され、壁部２ｃと壁部２ｄとの間に亘っている。壁部２ｇは、壁部２ａや壁部２ｂとともに筐体２の高さ方向（Ｚ方向）に互いに間隔をあけて設けられている。これにより、本実施形態では、筐体２の収容部２ｒが高さ方向（Ｚ方向）で複数の収容室２ｔ（収容空間）に分割（区画）されている。図１に示されるように、本実施形態では、例えば、複数の収容室２ｔのうち筐体２の高さ方向（Ｚ方向）に隣接する二つの壁部２ｇ，２ｇの間の収容室２ｔ１には、電池ユニット３が収容され、壁部２ｂと最も上側に位置された壁部２ｇとの間の収容室２ｔ２には、制御ユニット４が収容されている。また、本実施形態では、複数（例えば、八つ）の収容室２ｔ１のうち壁部２ａ側（下側）の六つの収容室２ｔ１には、それぞれ三つの電池ユニット３が縦向きの状態（電池ユニット３の長手方向がＸ方向に沿った状態）で収容され、残りの（上側の）二つの収容室２ｔ１には、それぞれ二つの電池ユニット３が横向きの状態（電池ユニット３の長手方向がＹ方向に沿った状態）で収容されている。なお、図８に示されるように、本実施形態では、壁部２ａと最も下側に位置された壁部２ｇとの間の空間には、電池ユニット３や制御ユニット４等は設けられていない。壁部２ｇは、隔壁や、仕切壁、分離壁等と称されうる。
【００１３】
さらに、筐体２は、複数の部品（分割体）が組み合わせられて構成されている。具体的には、本実施形態では、例えば、筐体２は、第一筐体部材２１（ケース、ベース部材、骨格部材、図８，１０参照）と、第二筐体部材２２（蓋部材、カバー部材、図８参照）と、第三筐体部材２３（覆部材、サイドプレート、カバー部材、図８，１０参照）と、を有する。第一筐体部材２１は、少なくとも、壁部２ａ，２ｂと、壁部２ｃ，２ｄのそれぞれの一部と、壁部２ｆ，２ｇと、を含む。第二筐体部材２２は、少なくとも壁部２ｅを含む。第三筐体部材２３は、少なくとも壁部２ｃ，２ｄのそれぞれの一部を含む。図８に示されるように、第二筐体部材２２は、第一筐体部材２１にヒンジ部２５を介して回転可能に接続されている。本実施形態では、ヒンジ部２５のヒンジ軸は、筐体２の高さ方向（Ｚ方向）に沿っている。第二筐体部材２２は、収容部２ｒが開放された図８の状態から第一筐体部材２１に対してヒンジ軸回りに回転することによって、収容部２ｒを塞ぐことができる。また、図１に示されるように、第三筐体部材２３は、第一筐体部材２１の幅方向（Ｙ方向）の両側にそれぞれ設けられている。第三筐体部材２３は、例えば、結合具等によって第一筐体部材２１に結合されうる。図１０に示されるように、第三筐体部材２３は、第一筐体部材２１の壁部２ｃ，２ｄの一部を、筐体２の外側（側方）から覆うことができる。第一筐体部材２１、第二筐体部材２２、および第三筐体部材２３は、例えば、合成樹脂材料や金属材料等で構成されうる。
【００１４】
そして、本実施形態では、筐体２とコンテナの床面Ｐとが、図２〜７に示される位置決め部材５，６を介して互いに位置合わせされるよう、構成されている。図２，７に示されるように、位置決め部材６（引掛部材、フック部材、部材）は、例えば、壁部２ｆの幅方向（Ｙ方向）の両側の端部にそれぞれ設けられている。図４にも示されるように、位置決め部材６は、壁部６ａ（縦壁、基壁）と、突出部６ｂと、を有する。壁部６ａは、壁部２ｆと略平行に設けられ、開口部６ｒを貫通した結合具Ｃ１（例えば、ボルトやねじ等、図７参照）によって、壁部２ｆ（筐体２）に結合（固定）されている。突出部６ｂは、壁部６ａに床面Ｐ側で接続され、壁部６ａから床面Ｐに沿って壁部２ｆとは反対側（位置決め部材５側）に突出している。本実施形態では、相互に接続された壁部６ａおよび突出部６ｂによって、位置決め部材６は、筐体２の幅方向（Ｙ方向）に沿う視線で略Ｌ字状に形成されている。
【００１５】
図５に示されるように、位置決め部材５（引掛部材、受部材、部材）は、筐体２とコンテナの側壁Ｓとの間に位置されている。図３にも示されるように、位置決め部材５は、例えば、壁部５ａ（底壁、下壁、基壁）と、壁部５ｂ（縦壁、立壁、起立壁）と、を有する。壁部５ａは、床面Ｐと略平行に設けられ、開口部５ｒを貫通した結合具Ｃ２（例えば、ボルトやねじ等、図５参照）によって、床面Ｐ（コンテナ）に結合（固定）されている。壁部５ｂは、壁部５ａに筐体２側（位置決め部材６側）で接続され、壁部５ａから壁部２ｆに沿って床面Ｐとは反対側（上側）に突出している。本実施形態では、相互に接続された壁部５ａおよび壁部５ｂによって、位置決め部材５は、筐体２の幅方向（Ｙ方向）に沿う視線（図５の視線）で略Ｌ字状に形成されている。また、図３，７に示されるように、壁部５ａ，５ｂは、それぞれが筐体２の幅方向（Ｙ方向）に沿って横長に延びた帯板状に構成されている。本実施形態では、位置決め部材５は、壁部５ａ，５ｂの長手方向が筐体２の幅方向（Ｙ方向、第二の方向）に沿い、壁部５ｂの厚さ方向が筐体２の前後方向（Ｘ方向、第一の方向）に沿い、壁部５ａの厚さ方向が筐体２の高さ方向（Ｚ方向）に沿った状態（姿勢）で、床面Ｐに結合（固定）されている。
【００１６】
また、図３に示されるように、壁部５ｂには、複数（例えば、二つ）の開口部５ｓが設けられている。開口部５ｓは、例えば、壁部５ｂの長手方向（Ｙ方向）に沿って延びた長穴として構成されている。また、開口部５ｓは、突出部６ｂの突出方向である壁部５ｂの厚さ方向（Ｘ方向）に沿って当該壁部５ｂを貫通している。複数の開口部５ｓは、二つの突出部６ｂ（図７参照）に対応して壁部５ｂの長手方向（Ｙ方向）の両側の端部に設けられている。本実施形態では、突出部６ｂと開口部５ｓとが互いに離間した図５の状態から、突出部６ｂが開口部５ｓに挿入された図６の状態となるまで、筐体２を突出部６ｂの突出方向（Ｘ方向、第一の方向）に沿って移動させることによって、突出部６ｂ（筐体２）と開口部５ｓ（床面Ｐ）とが互いに位置決めされる。そして、本実施形態では、例えば、筐体２の、突出部６ｂの突出方向（Ｘ方向）の前方側の端部２ｘが位置決め部材５の壁部５ｂおよびコンテナの側壁Ｓのうち少なくとも一方に当接（接触）した時点で、突出部６ｂ（筐体２）の開口部５ｓ（床面Ｐ）に対する前方側（側壁Ｓ側）への移動が制限される。本実施形態では、開口部５ｓは、第一の開口部および第一の位置決め部７の一例であり、突出部６ｂは、第二の位置決め部８の一例である。
【００１７】
また、図４に示されるように、突出部６ｂは、例えば、基部６ｃ（第一の部分）と、テーパ部６ｄ（第二の部分）と、を有する。基部６ｃは、突出部６ｂの突出方向（Ｘ方向）の基端側（後方側）に位置された部分であり、壁部６ａと接続されている。本実施形態では、基部６ｃの、開口部５ｓの長手方向（Ｙ方向、第二の方向）に沿った幅Ｗ１は、開口部５ｓの長手方向（Ｙ方向）に沿った幅Ｗ３と略同じに構成されている。基部６ｃは、開口部５ｓの長手方向（Ｙ方向）の両側の縁部と対向する面６ｃ１（側面）を有する。突出部６ｂ（第二の位置決め部８）と開口部５ｓ（第一の位置決め部７）とが位置決めされた図６の状態では、面６ｃ１と開口部５ｓの縁部とが互いに引っ掛かることによって、突出部６ｂ（筐体２）の開口部５ｓ（床面Ｐ）に対する長手方向（Ｙ方向、第二の方向）への移動が制限される。
【００１８】
テーパ部６ｄは、突出部６ｂの突出方向（Ｘ方向）の先端側（前方側）に位置された部分であり、基部６ｃと接続されている。図４に示されるように、テーパ部６ｄの、開口部５ｓの長手方向（Ｙ方向、第二の方向）に沿った幅Ｗ２は、突出方向（Ｘ方向）の先端側（前方側、側壁Ｓ側）に向かうほど狭くなっている。テーパ部６ｄは、開口部５ｓの長手方向（Ｙ方向）の両側の縁部と対向する面６ｄ１（傾斜面）を有する。面６ｄ１は、突出部６ｂの突出方向（Ｘ方向）である突出部６ｂの開口部５ｓへの挿入方向（装着方向、取付方向）に対して傾斜している。本実施形態では、突出部６ｂ（第二の位置決め部８）と開口部５ｓ（第一の位置決め部７）とが互いに離間した図５の状態から、突出部６ｂと開口部５ｓとが位置決めされた図６の状態となるまでの間に、面６ｄ１と開口部５ｓの縁部との接触によって突出部６が開口部５ｓの長手方向（Ｙ方向、第二の方向）に案内（誘導）されつつ開口部５ｓに挿入される。よって、本実施形態によれば、例えば、テーパ部６ｄによって、突出部６ｂを開口部５ｓに挿入して位置決めを行う作業が、より容易に、より円滑に、あるいはより迅速に行われうる。
【００１９】
また、図４に示されるように、突出部６ｂには、仮止め用の結合具が挿入される開口部６ｓが設けられている。開口部６ｓは、例えば、突出部６ｂの突出方向（Ｘ方向、第一の方向）の先端側（前方側）に向けて開放された切欠部として構成されている。また、開口部６ｓは、突出部６ｂをその厚さ方向（Ｚ方向）に沿って貫通している。よって、本実施形態によれば、例えば、蓄電池装置１をコンテナに輸送する場合等に、突出部６ｂに設けられた開口部６ｓが有効に利用され、蓄電池装置１が仮止めされうる。本実施形態では、開口部６ｓは、第二の開口部の一例である。
【００２０】
また、図５に示されるように、第三筐体部材２３（筐体２）の端部２ｘには、開口部２ｕが設けられている。開口部２ｕは、例えば、筐体２の高さ方向（Ｚ方向）の他方側（床面Ｐ側）に向けて開放された切欠部として構成されている。開口部２ｕは、筐体２の幅方向（Ｙ方向）に沿う視線（図５の視線）で略Ｌ字状に形成されている。本実施形態では、このような開口部２ｕによって、筐体２の端部２ｘに床面Ｐから離れる方向に凹んだ凹部２ｖが設けられている。なお、図２，１０に示されるように、本実施形態では、筐体２の幅方向（Ｙ方向）の両側の二つの第三筐体部材２３は互いに離間しているが、筐体２は、二つの第三筐体部材２３の端部２ｘ間を亘って筐体２の幅方向（Ｙ方向）に沿って延びる壁部や、二つの第三筐体部材２３の開口部２ｕ（切欠部）間を亘って筐体２の幅方向（Ｙ方向）に沿って延びる壁部等を有してもよい。そして、本実施形態では、突出部６ｂと開口部５ｓとが位置決めされた図６の状態では、突出部６ｂおよび開口部５ｓが筐体２の幅方向（Ｙ方向）に沿う視線（図６の視線）で凹部２ｖに収まるよう構成されている。仮に、筐体２の端部２ｘに凹部２ｖが設けられなかった場合、筐体２の端部２ｘとコンテナの側壁Ｓとが互いに離間した状態で、蓄電池装置１がコンテナ内に設置されてしまう虞がある。その点、本実施形態によれば、凹部２ｖによって、筐体２の端部２ｘとコンテナの側壁Ｓとを互いにより近づけて配置することができる。よって、本実施形態によれば、例えば、蓄電池装置１がコンテナ内の限られたスペースにより効率的に設置されうる。
【００２１】
また、図６に示されるように、突出部６ｂ（第二の位置決め部８）と開口部５ｓ（第一の位置決め部７）とが位置決めされた図６の状態では、凹部２ｖの上側に筐体２の高さ方向（Ｚ方向）に沿って延びる空気通路Ａが形成される。空気通路Ａは、コンテナの側壁Ｓ、二つの第三筐体部材２３、および筐体２の壁部２ｆによって囲まれた空間部であり、壁部２ｆの開口部２ｓ（図１０参照）と筐体２の外側（コンテナ内の空間部）とを接続している。仮に、筐体２に空気通路Ａが設けられなかった場合、発熱部品である電池ユニット３や制御ユニット４等の熱が筐体２内にこもってしまう虞がある。その点、本実施形態によれば、空気通路Ａによって、電池ユニット３や制御ユニット４等の熱を筐体２の外側に逃がすことができるとともに、例えば、コンテナ内にファン等の冷却機構が設けられている場合、空気通路Ａを介して冷却機構の風が電池ユニット３や制御ユニット４等に直接的に当たりやすくなる。よって、本実施形態によれば、例えば、電池ユニット３や制御ユニット４等がより効果的に冷却されうる。
【００２２】
また、図８に示されるように、壁部２ａの、突出部６ｂ（第二の位置決め部８）とは反対側（壁部２ｅ側）には、開口部２ｋが設けられている。開口部２ｋは、壁部２ａの幅方向（Ｙ方向）の両側の端部に位置されている。開口部２ｋは、例えば、壁部２ａを筐体２の高さ方向（Ｚ方向）、すなわち壁部２ａの厚さ方向に沿って貫通した貫通孔として構成されている。本実施形態では、例えば、突出部６ｂ（第二の位置決め部８）と開口部５ｓ（第一の位置決め部７）とが位置決めされ、突出部６ｂの開口部５ｓに対する挿入方向（Ｘ方向）の前方側（側壁Ｓ側、図６の右側）への移動が制限されるとともに、開口部５ｓの長手方向（Ｙ方向）の両側（図７の左右側）への移動が制限された状態で、開口部２ｋと床面Ｐ側の開口部（取付穴、図示されず）とが互いに位置合わせされるよう、構成されている。そして、図９に示されるように、筐体２は、位置合わせされて壁部２ａの厚さ方向（Ｚ方向）に重なった二つの開口部（開口部２ｋおよび床面Ｐの開口部）を貫通した結合具Ｃ３（例えば、ボルトやねじ等）によって、床面Ｐに結合（固定）される。結合具Ｃ３によって筐体２と床面Ｐとが互いに結合された状態では、筐体２の床面Ｐに対する挿入方向（Ｘ方向、第一の方向）の後方側（抜け側、図６の左側）への移動、および筐体２の床面Ｐに対する上方側（Ｚ方向）への移動が制限される。このように、本実施形態によれば、突出部６ｂ（第二の位置決め部８）と開口部５ｓ（第一の位置決め部７）とによって、筐体２の開口部２ｋと床面Ｐの開口部（図示されず）との位置合わせを行うことができる。よって、本実施形態によれば、例えば、蓄電池装置１をコンテナの床面Ｐに設置する作業が、より容易に、より円滑に、あるいはより迅速に行われやすい。なお、開口部２ｋは、蓄電池装置１をコンテナに輸送する場合等に、仮止め用の結合具が挿入される開口部としての機能も担うことができる。蓄電池装置１は、開口部２ｋおよび開口部６ｓを通された仮止め用の結合具によって、筐体２の四隅が結合（仮止め）される。
【００２３】
図８，１１に示されるように、電池ユニット３は、例えば、電池モジュール３１（組電池、電子部品）と、電池モジュール３１を載せるトレイ部材３２（ケース、容器、部材、スライド部材）と、を有する。電池モジュール３１は、筐体３１ａ（第二の筐体）や、筐体３１ａ内に収容される複数の電池セル（単電池、図示されず）、複数の電池セルを電気的に接続する導電部材（バスバー）等を有する。電池セルは、例えば、リチウムイオン二次電池等によって構成されうる。図１，８に示されるように、電池モジュール３１は、それぞれがトレイ部材３２に載せられた状態で各収容室２ｔ１に収容されている。複数の電池モジュール３１は、不図示の導電部材を介して制御ユニット４と電気的に接続される。
【００２４】
図１３に示されるように、トレイ部材３２は、複数の壁部３２ａ〜３２ｆを有する。壁部３２ａは、平面視では長方形状に構成されている。壁部３２ａは、下壁や、底壁等と称され、筐体２の壁部２ｇと面する（対向する、重なる）。壁部３２ｂは、壁部３２ａの短手方向の両側の端部に設けられている。壁部３２ａの短手方向は、図１の壁部２ａ側（下側）の六つの収容室２ｔ１に収容される電池ユニット３では、筐体２の幅方向（Ｙ方向）に沿い、壁部２ｂ側（上側）の二つの収容室２ｔ１に収容される電池ユニット３では、筐体２の前後方向（Ｘ方向）に沿う。なお、図１１〜１３には、一例として、図１の壁部２ａ側（下側）の六つの収容室２ｔ１に収容される電池ユニット３が示されている。壁部３２ｂは、壁部３２ａから当該壁部３２ａの厚さ方向（Ｚ方向）の一方側（上側）に突出している。本実施形態では、トレイ部材３２には、相互に接続された壁部３２ａおよび二つの壁部３２ｂによって、壁部３２ａの厚さ方向（Ｚ方向）の一方側（上側）に向けて開放された凹部３２ｄが形成されている。図８に示されるように、電池モジュール３１は、この凹部３２ｄに収容されている（載せられている）。壁部３２ｂは、側壁や、立壁等と称され、電池モジュール３１のトレイ部材３２に対する壁部３２ａの短手方向への移動を制限する。壁部３２ｃは、壁部３２ｂの高さ方向（Ｚ方向）の一方側（上側）の端部に設けられている。壁部３２ｃは、張出壁等と称され、壁部３２ｂから壁部３２ａの短手方向の外側（筐体２外側）へ向けてフランジ状に張り出している。壁部３２ｅ，３２ｆは、壁部３２ａの長手方向に間隔をあけて互いに平行に設けられている。壁部３２ｅ，３２ｆは、縦壁や、立壁等と称され、壁部３２ａから当該壁部３２ａの厚さ方向（Ｚ方向）の一方側（上側）に突出している。また、壁部３２ｅ，３２ｆは、それぞれが壁部３２ａの短手方向の略中央部に、部分的に設けられている。なお、壁部３２ａには、電池モジュール３１のトレイ部材３２に対する壁部３２ａの長手方向への移動を制限する部分が設けられうる。
【００２５】
また、図１１〜１３に示されるように、壁部３２ｆには、突出部３２ｇが設けられている。突出部３２ｇは、壁部３２ａや、筐体２の壁部２ｇ、床面Ｐ等と略平行である。壁部３２ｇは、壁部３２ｆの高さ方向（Ｚ方向）の一方側（上側）の端部から壁部３２ａの長手方向の外側（筐体２外側）に突出している。また、図１０，１１に示されるように、本実施形態では、壁部２ｆの突出部３２ｇと対応する位置には、開口部２ｍが設けられている。開口部２ｍは、例えば、壁部２ｆの幅方向（Ｙ方向）に沿って延びた長穴として構成されている。また、開口部２ｍは、突出部３２ｇの突出方向である壁部２ｆの厚さ方向（Ｘ方向）に沿って当該壁部２ｆを貫通している。本実施形態では、突出部３２ｇと開口部２ｍとが互いに離間した図１１の状態から、突出部３２ｇが開口部２ｍに挿入された図１２の状態となるまで電池ユニット３を突出部３２ｇの突出方向（Ｘ方向、第一の方向）に沿って移動させることによって、突出部３２ｇ（電池ユニット３）と開口部２ｍ（筐体２）とが互いに位置決めされる。そして、トレイ部材３２の壁部３２ｆが壁部２ｆに当接（接触）した時点で、突出部３２ｇ（電池ユニット３）の開口部５ｓ（筐体２）に対する挿入方向（Ｘ方向、第一の方向）の前方側（壁部２ｆ側）への移動が制限される。本実施形態では、開口部２ｍは、第三の位置決め部９の一例であり、突出部３２ｇは、第四の位置決め部１０の一例である。なお、本実施形態では、壁部２ｂ（上側）の二つの収容室２ｔ１に収容される電池ユニット３については、壁部２ｃ，２ｄの突出部３２ｇと対応する位置に開口部が設けられうる。この場合、電池ユニット３を突出部３２ｇの突出方向（Ｙ方向）に沿って移動させることによって、突出部３２ｇ（電池ユニット３）と開口部（筐体２）とが互いに位置決めされうる。
【００２６】
また、図１０に示されるように、突出部３２ｇの、開口部２ｍの長手方向（Ｙ方向、第二の方向）に沿った幅は、開口部２ｍの長手方向（Ｙ方向、第二の方向）に沿った幅と略同じに構成されている。突出部３２ｇと開口部２ｍとが位置決めされた図１２の状態では、突出部３２ｇの側面と開口部２ｍの縁部とが互いに引っ掛かることによって、突出部３２ｇ（電池ユニット３）の開口部２ｍ（筐体２）に対する長手方向（Ｙ方向）への移動が制限される。なお、突出部３２ｇの先端部には、突出部６ｂと同様に、開口部２ｍの長手方向（Ｙ方向）に沿った幅が狭くなるテーパ部が設けられうる。テーパ部によって、突出部３２ｇを開口部２ｍに挿入して位置決めを行う作業が、より容易に、より円滑に、あるいはより迅速に行うことができる。
【００２７】
また、図１３に示されるように、壁部３２ａの突出部３２ｇとは反対側（壁部３２ｅ側）には、開口部３２ｋが設けられている。開口部３２ｋは、壁部３２ａの短手方向の両側の端部に位置されている。開口部３２ｋは、例えば、壁部３２ａを貫通した貫通孔として構成されている。本実施形態では、例えば、突出部３２ｇ（第四の位置決め部１０）と開口部２ｍ（第三の位置決め部９）とが位置決めされ、突出部３２ｇ（電池ユニット３）の開口部２ｍ（筐体２）に対する前方側（壁部２ｆ側、図１２の右側）への移動、および開口部２ｍの長手方向（Ｙ方向、第二の方向）への移動が制限された状態で、開口部３２ｋと壁部２ｇ側の開口部（取付穴、図示されず）とが互いに位置合わせされるよう、構成されている。そして、図８に示されるように、電池ユニット３は、位置合わせされて壁部３２ａ，２ｇの厚さ方向（Ｚ方向）に互いに重なった二つの開口部（開口部３２ｋおよび壁部２ｇの開口部）を貫通した結合具Ｃ４（例えば、ボルトやねじ等）によって、壁部２ｇに結合（固定）される。このように、本実施形態によれば、突出部３２ｇ（第四の位置決め部１０）と開口部２ｍ（第三の位置決め部９）とによって、電池ユニット３の開口部３２ｋと壁部２ｇの開口部（図示されず）との位置合わせを行うことができる。よって、本実施形態によれば、例えば、電池ユニット３を筐体２の壁部２ｇに設置する作業が、より容易に、より円滑に、あるいはより迅速に行われやすい。また、突出部３２ｇ（第四の位置決め部１０）および開口部２ｍ（第三の位置決め部９）が、突出部６ｂ（第二の位置決め部８）および開口部５ｓ（第一の位置決め部７）の構成と略同じであるため、例えば、蓄電池装置１のメンテナンス等の作業が、より簡単に行われやすい。
【００２８】
制御ユニット４は、例えば、基板等の電池部品が収容される筐体と、筐体を載せるトレイ部材と、を有する。トレイ部材は、電池ユニット３のトレイ部材３２と同じ構成である。制御ユニット４は、電池ユニット３と同様に、突出部３２ｇの突出方向（例えばＸ方向、第一の方向）に沿ったスライド移動によって、筐体２に対する位置決めを行うことができる。
【００２９】
以上のように、本実施形態では、例えば、蓄電池装置１（電気装置）は、筐体２と、筐体２の床面Ｐに沿うＸ方向（第一の方向）への移動によって床面Ｐに設けられた第一の位置決め部７と位置決めされる第二の位置決め部８を備え、第一の位置決め部７と第二の位置決め部８とが位置決めされた状態で、第二の位置決め部８は、第一の位置決め部７に対するＸ方向（第一の方向）の前方側（コンテナの側壁Ｓ側）への移動が制限されるとともに、Ｘ方向（第一の方向）と交叉し床面Ｐに沿うＹ方向（第二の方向）への移動が制限される。よって、本実施形態によれば、例えば、第二の位置決め部８と第一の位置決め部７との位置決めによって、筐体２と床面Ｐとの位置合わせを行うことができる。よって、例えば、蓄電池装置１を床面Ｐに設置する作業が、より容易に、より円滑に、あるいはより迅速に行われやすい。
【００３０】
また、本実施形態では、例えば、第二の位置決め部８にはＸ方向（第一の方向）に沿って突出部６ｂが設けられ、第一の位置決め部７には突出部６ｂが入る開口部５ｓ（第一の開口部）が設けられている。よって、本実施形態によれば、例えば、突出部６ｂを開口部５ｓに挿入するといった比較的簡単な構成で、第二の位置決め部８と第一の位置決め部７との位置決めが実現されうる。なお、本実施形態では、第二の位置決め部８に突出部６ｂが設けられ、第一の位置決め部７に開口部５ｓが設けられたが、第二の位置決め部８（位置決め部材６）に開口部５ｓが設けられ、第一の位置決め部７（位置決め部材５）に突出部６ｂが設けられてもよい。
【００３１】
また、本実施形態では、例えば、突出部６ｂには、Ｘ方向（第一の方向）の前方側（コンテナの側壁Ｓ側）に向かうほどＹ方向（第二の方向）に沿った幅Ｗ３が狭くなるテーパ部６ｄが設けられている。よって、本実施形態によれば、例えば、テーパ部６ｄによって、突出部６ｂを開口部５ｓに挿入して位置決めを行う作業が、より容易に、より円滑に、あるいはより迅速に行われうる。
【００３２】
また、本実施形態では、例えば、突出部６ｂには、仮止め用の結合具が入る開口部６ｓ（第二の開口部）が設けられている。よって、本実施形態によれば、例えば、蓄電池装置１をコンテナに輸送する場合等に、突出部６ｂに設けられた開口部６ｓが有効に利用され、蓄電池装置１が仮止めされうる。
【００３３】
また、本実施形態では、例えば、筐体２のＸ方向（第一の方向）の前方側（コンテナの側壁Ｓ側）の端部２ｘには、床面Ｐから離れる方向に凹んだ凹部２ｖが設けられ、凹部２ｖに第一の位置決め部７および第二の位置決め部８が位置されている。よって、本実施形態によれば、例えば、凹部２ｖが設けられない場合と比べて、筐体２の端部２ｘとコンテナの側壁Ｓとを互いにより近づけて配置することができる。よって、例えば、蓄電池装置１がコンテナ内の限られたスペースにより効率的に配置されうる。
【００３４】
また、本実施形態では、例えば、蓄電池装置１（電気装置）は、筐体２に収容され、電池モジュール３１（電子部品）が設けられた電池ユニット３（ユニット）と、電池ユニット３のＸ方向（第一の方向）への移動によって筐体２に設けられた第三の位置決め部９と位置決めされる第四の位置決め部１０を備え、第三の位置決め部９と第四の位置決め部１０とが位置決めされた状態で、第四の位置決め部１０は、第三の位置決め部９に対するＸ方向（第一の方向）の前方側（筐体２の壁部２ｆ側）への移動が制限されるとともに、Ｙ方向（第二の方向）への移動が制限される。よって、本実施形態によれば、例えば、第四の位置決め部１０と第三の位置決め部９との位置決めによって、電池ユニット３と筐体２との位置合わせを行うことができる。よって、例えば、電池ユニット３を筐体２に設置する作業が、より容易に、より円滑に、あるいはより迅速に行われやすい。また、第四の位置決め部１０および第三の位置決め部９が、第二の位置決め部８および第一の位置決め部７の構成と同じであるため、例えば、蓄電池装置１のメンテナンス等の作業が、より簡単に行われやすい。
【００３５】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００３６】
１…蓄電池装置（電気装置）、２…筐体、２ａ…壁部、２ｖ…凹部、２ｘ…端部、３…電池ユニット（ユニット）、４…制御ユニット（ユニット）、５ｓ…開口部（第一の開口部）、６ｂ…突出部、６ｄ…テーパ部、６ｓ…開口部（第二の開口部）、７…第一の位置決め部、８…第二の位置決め部、９…第三の位置決め部、１０…第四の位置決め部、３１…電池モジュール（電子部品）、Ｐ…床面、Ｘ…第一の方向、Ｙ…第二の方向。
【図３】
2016134449.tif 000003
【図４】
2016134449.tif 000004
【図５】
2016134449.tif 000005
【図６】
2016134449.tif 000006
【図７】
2016134449.tif 000007
【図８】
2016134449.tif 000008
【図９】
2016134449.tif 000009
【図１１】
2016134449.tif 000010
【図１２】
2016134449.tif 000011
【図１３】
2016134449.tif 000012
【図１】
2016134449.tif 000013
【図２】
2016134449.tif 000014
【図１０】
2016134449.tif 000015